(57)【要約】【課題】複合機型のＨＴＴＰサーバにおいて、操作画面など、販売店や一般ユーザが容易に書き換えることができないようになっているコンテンツの一部を容易にカスタマイズすることができるＨＴＴＰサーバを提供すること。【解決手段】オリジナルコンテンツ２０を格納したＲＯＭ４と、カスタマイズデータ２１を格納する不揮発性ＲＡＭ３とを備えたＨＴＴＰサーバ１であって、前記オリジナルコンテンツ２０及び前記カスタマイズデータ２１を読出す手段と、前記オリジナルコンテンツ２０の所定範囲に前記カスタマイズデータ２１を組み込んで新たなコンテンツ２２を生成する手段と、生成した新たなコンテンツ２２を前記オリジナルコンテンツ２０の代わりに出力する手段と、を備えるＨＴＴＰサーバ１。【選択図】図３
2005044262.tif 000002
【特許請求の範囲】
【請求項１】
オリジナルコンテンツを格納した読出し専用の記憶手段と、カスタマイズデータを格納する読書き可能な記憶手段とを備えたＨＴＴＰサーバであって、前記オリジナルコンテンツ及び前記カスタマイズデータを読出す手段と、前記オリジナルコンテンツの所定範囲に前記カスタマイズデータを組み込んで新たなコンテンツを生成する手段と、生成した前記新たなコンテンツを前記オリジナルコンテンツの代わりに出力する手段と、を備えることを特徴とするＨＴＴＰサーバ。
【請求項２】
前記カスタマイズデータを前記読書き可能な記憶手段に入力する手段を更に備えることを特徴とする請求項１記載のＨＴＴＰサーバ。
【発明の詳細な説明】
【技術分野】
【０００１】
本発明は、ＨＴＴＰ（Ｈｙｐｅｒｔｅｘｔ  Ｔｒａｎｓｆｅｒ  Ｐｒｏｔｏｃｏｌ）サーバに関し、特に、ＨＴＴＰ通信機能、ファクシミリ通信機能、ネットワーク通信機能など、複数の機能が組み込まれた複合機型のＨＴＴＰサーバに関するものである。
【背景技術】
【０００２】
近年、ＨＴＴＰ通信機能、ファクシミリ通信機能、クライアント装置とのネットワーク通信機能など複数の機能が組み込まれた複合機型の通信装置が普及している。ＨＴＴＰ通信機能を備えた複合機によれば、ＨＴＭＬ（Ｈｙｐｅｒｔｅｘｔ  Ｍａｒｋｕｐ  Ｌａｎｇｕａｇｅ）ファイルをその記憶部にＵＲＬを割り当てて格納し、ブラウザが組み込まれたクライアント装置からＵＲＬ（Ｕｎｉｆｏｒｍ  Ｒｅｓｏｕｒｃｅ  Ｌｏｃａｔｏｒｓ）を指定して要求されたＨＴＭＬファイルを送信することで、クライアント装置のブラウザに文字情報及び画像からなるコンテンツ（ウェブページ）を表示させることができる。コンテンツの種類は、様々であるが、一般的には電子掲示板情報や、例えば図９に示すような、サーバ装置内の通信記録の閲覧や各種の操作を行うためにクライアント装置の表示部に表示される操作画面として利用されることが多い。
【０００３】
様々な情報のやり取りに利用されるコンテンツの中でも例えば上記した操作画面のようにそのＨＴＭＬファイルや画像データを書換える必要がなく、なお且つ、書換えるとトラブルの原因となるものは、書き換えできないようにＲＯＭに格納され、電子掲示板の掲示データのようにユーザの操作によって自由に更新する必要があるものは書き換えできるようにＲＡＭに格納される（例えば特許文献１参照。）。
【０００４】
したがってＲＯＭに格納されている操作画面等のコンテンツはそこに含まれる文字、フレーム、広告バナー、ロゴ等の全てがサーバ装置の製造者によって一律にデザインされ、生産段階においてＲＯＭに記録される。このため、ファクシミリ販売店やエンドユーザが自身で考えたロゴやメッセージを操作画面等のコンテンツに含めて表示させることは事実上不可能であった。一方、サーバ装置のメーカが各販売店等の要求に応じて、個別にカスタマイズされたコンテンツを工場の生産ラインでＲＯＭに記録すると、製造工程を煩雑化し、製造コストの上昇を招くこととなるので、そのようなニーズがあっても応じることは困難であった。
【特許文献１】特開２００２−１３２６４８号公報
【発明の開示】
【発明が解決しようとする課題】
【０００５】
本発明が解決しようとする問題は、操作用画面などのコンテンツに含まれる画像（ロゴ、広告バナー等）、文字が販売店やユーザによって書き換えることができないようになっており、コンテンツのカスタマイズが困難となっている点である。
【０００６】
本発明は、上記課題に鑑みてなされたものであり、複合機型のＨＴＴＰサーバにおいて、操作画面など、販売店や一般ユーザが容易に書き換えることができないようになっているコンテンツの一部を容易にカスタマイズすることができるＨＴＴＰサーバを提供することを目的とする。
【課題を解決するための手段】
【０００７】
上記目的を達成するために、請求項１記載のＨＴＴＰサーバは、オリジナルコンテンツを格納した読出し専用の記憶手段と、カスタマイズデータを格納する読書き可能な記憶手段とを備えたＨＴＴＰサーバであって、前記オリジナルコンテンツ及び前記カスタマイズデータを読出す手段と、前記オリジナルコンテンツの所定範囲に前記カスタマイズデータを組み込んで新たなコンテンツを生成する手段と、生成した前記新たなコンテンツを前記オリジナルコンテンツの代わりに出力する手段と、を備えることを特徴としている。
【０００８】
請求項２記載のＨＴＴＰサーバは、請求項１記載のＨＴＴＰサーバにおいて、前記カスタマイズデータを前記読書き可能な記憶手段に入力する手段を備えることを特徴としている。
【発明の効果】
【０００９】
請求項１又は２記載のＨＴＴＰサーバによれば、従来、販売店やエンドユーザが行うことが困難であったコンテンツのカスタマイズを容易に行うことができる。また、操作や機能に影響するコンテンツの重要な部分は、オリジナルコンテンツとして読出し専用の記憶手段に格納されており、販売店やエンドユーザは、当該部分については変更することができないので、機能不能等のトラブルの発生が防止される。
【発明を実施するための最良の形態】
【００１０】
以下本発明の実施の形態に係るＨＴＴＰサーバについて図面に基づき説明する。本発明の実施の形態に係るＨＴＴＰサーバは、ＨＴＴＰ通信機能のほか、ファクシミリ通信機能、電子メール通信機能、ネットワークプリンタ機能など複数の機能が組み込まれた複合機型のＨＴＴＰサーバである。図１にこのＨＴＴＰサーバ１の構成例を示す。すなわち、ＨＴＴＰサーバ１は、ＣＰＵ（中央処理装置）２、読書き可能な記憶手段３、読出し専用の記憶手段４、コーデック５、モデム６、ＮＣＵ（ネットワークコントロールユニット）７、読取部８、記録部９、表示部１０、操作部１１、及びＬＡＮインターフェース１２を備えたものであって、各部２乃至１２は通信可能にバス１３によって接続されている。
【００１１】
ＣＰＵ２は、読出し専用の記憶手段４に格納されたプログラムに従って、このＨＴＴＰサーバ１を構成する各部を制御する。読書き可能な記憶手段３としては、例えば不揮発性のＲＡＭ（ランダムアクセスメモリー）３が使用されており、これは後述するコンテンツのカスタマイズデータ、各種設定情報等を記憶する記憶部として機能する。読出し専用の記憶手段４としては、例えばＲＯＭ（リードオンリーメモリー）４が使用されており、これは、ＣＰＵ２によりこのＨＴＴＰサーバ１の各部の動作が制御されるための各種プログラムのほか、後述するオリジナルコンテンツを記憶している。
【００１２】
コーデック５は、画像データを送信のためにＭＨ、ＭＲ、ＭＭＲ方式等により符号化し、受信した画像データを復号する。また、電子メール添付ファイル形式として一般的に利用されている画像フォーマットであるＴＩＦＦ（Ｔａｇｇｅｄ  Ｉｍａｇｅ  Ｆｉｌｅ  Ｆｏｒｍａｔ）形式にも対応して符号化、復号する。
【００１３】
モデム６は、ＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１４に接続されている。読取部８は、原稿の画像データを読み取って、白黒２値化した画像データを出力する。記録部９は、例えば電子写真方式のものからなり、受け取った画像データ等を記録紙上に記録する。
【００１４】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ＵＲＬ（Ｕｎｉｆｏｒｍ  Ｒｅｓｏｕｒｃｅ  Ｌｏｃａｔｏｒｓ）、ファクシミリ番号、メールアドレス等の各種情報を入力する入力キーなどを具備する。
【００１５】
ＬＡＮインターフェース１２は、ＬＡＮ（ローカル・エリア・ネットワーク）１５とＨＴＴＰサーバ１とを通信可能に接続するインターフェースである。ＬＡＮ１５には、クライアントＰＣ１６が設置されており、クライアントＰＣ１６からＨＴＴＰサーバ１が有する各種機能を利用することができる。また、ＬＡＮ１５にはルータ１８が設置されており、ＨＴＴＰサーバ１はルータ１８、インターネット等を通じて他の通信装置（不図示）と種々の通信を行うことができる。
【００１６】
上記構成を備えるＨＴＴＰサーバ１は、図２（ａ）に示すオリジナルコンテンツ２０のＨＴＭＬファイル及び画像データ２０ｂをＲＯＭ４の所定領域に格納しており、前記オリジナルコンテンツ２０の所定範囲に設けられた特定の広告バナー２０ｃ、ロゴ２０ｄ、メッセージ２０ｅに置き換えて組み込むためのカスタマイズデータ２１、詳細には、カスタマイズ画像データとカスタマイズ文字データを、図３に示すように、ＲＡＭ３の所定領域に格納している。
【００１７】
ＨＴＴＰサーバ１は、クライアントＰＣ１６からオリジナルコンテンツ２０のＵＲＬの指定を受付けると、図３に示すように、ＲＯＭ４に格納されているオリジナルコンテンツ２０のＨＴＭＬファイル２０ａとＲＡＭ３に格納されているカスタマイズデータ２１ａ、２１ｂ、２１ｃを読出し、カスタマイズ画像データ２１ａ、２１ｂの画像サイズ及びカスタマイズ文字データ２１ｃの文字数情報に基づいて、これらカスタマイズデータ２１ａ、２１ｂ、２１ｃをオリジナルコンテンツ２０の特定の広告バナー２０ｃ、ロゴ２０ｄ及びメッセージ２０ｅに置き換えて表示するためのタグを生成し、該タグが組み込まれた新たなＨＴＭＬファイル２２ａを生成する機能を有する（以下、該機能を「コンテンツカスタマイズ機能」ともいう。）。
【００１８】
上記コンテンツカスタマイズ機能が実行される際のＨＴＴＰサーバ１の処理動作を図４乃至図６に示すフローチャートに基づいて更に詳細に説明する。なお、このフローチャートに基づいて説明するＨＴＴＰサーバ１の処理動作は、ＲＯＭ４に格納されている制御プログラムに基づいてＣＰＵ２が発行する命令に従って行われる。また、後述する、カスタマイズ対象となっているオリジナルコンテンツのＵＲＬ、コンテンツカスタマイズ機能のＯＮ／ＯＦＦ設定は予めＲＡＭ３に登録されている。
【００１９】
ＨＴＴＰサーバ１がクライアントＰＣ１６からＵＲＬの指定を受付けると（Ｓ１）、そのＵＲＬがカスタマイズ対象となっているオリジナルコンテンツのＵＲＬであるか否かを、予め登録されているＵＲＬの情報に基づいて判断する（Ｓ２）。カスタマイズ対象となっているオリジナルコンテンツのＵＲＬではないと判断した場合は、ＲＯＭ４に格納されている当該ＵＲＬに該当するコンテンツをクライアントＰＣ１６へ出力する（Ｓ３）。
【００２０】
一方、カスタマイズ対象となっているオリジナルコンテンツのＵＲＬであると判断した場合は、ＲＡＭ３の所定領域に予め登録されているコンテンツカスタマイズ機能のＯＮ／ＯＦＦ設定情報に基づいて、当該機能が有効となっているか否かを判断する（Ｓ４）。当該機能が有効となっていない場合は、前記Ｓ３へ移行して指定されたＵＲＬに該当するコンテンツをクライアントＰＣ１６へ出力する。
【００２１】
一方、当該機能が有効となっている場合は（Ｓ４：ＹＥＳ）、カスタマイズ画像データ２１ａ、２１ｂ、カスタマイズ文字データ２１ｃがＲＡＭ３の所定領域に格納されているか否かを判断し（Ｓ５）、カスタマイズデータ２１ａ、２１ｂ及び２１ｃの何れもがＲＡＭ３の所定領域に格納されていないと判断した場合は、前記Ｓ３へ移行して指定されたＵＲＬに該当するコンテンツをクライアントＰＣ１６へ出力する。
【００２２】
カスタマイズデータ２１ａ、２１ｂ、２１ｃがＲＡＭ３の所定領域に格納されていると判断した場合は（Ｓ５：ＹＥＳ）、指定されたＵＲＬに該当するオリジナルコンテンツ２０の所定範囲（本実施の形態では、デフォルトの文字データ２０ｅ、画像データ２０ｃ、２０ｄが設けられている範囲）にカスタマイズ画像データ２１ａ、２１ｂ、カスタマイズ文字データ２１ｃを組み込んで表示するためのタグを生成する（Ｓ６）。
【００２３】
前記Ｓ６の処理を図５及び図６のフローチャートに基づいてさらに詳細に説明する。前記Ｓ６の処理においては、カスタマイズ文字データ２１ｃがあるか否か、カスタマイズ画像データ２１ａ、２１ｂ及びＵＲＬ情報２１ｄ、２１ｅがあるか否かが夫々判断される（Ｓ５１、Ｓ１０１）。カスタマイズ文字データがあると判断した場合には（Ｓ５１：ＹＥＳ）、当該カスタマイズ文字データの文字数を解析し（Ｓ５２）、文字数が所定文字数以下であるか否かを判断する（Ｓ５３）。文字数が所定文字数以下である場合は、当該カスタマイズ文字データを前記した所定範囲内に表示するためのタグを生成する（Ｓ５４）。
【００２４】
前記Ｓ５３において所定文字を超えると判断した場合は、カスタマイズ文字データを前記した所定範囲内においてスクロール表示するためのタグ（例えばＨＴＭＬタグ「ｍａｒｑｕｅｅ」等を利用たもの）を生成する（Ｓ５５）。なお、カスタマイズ文字データが格納されていないと判断した場合には（Ｓ５１：ＮＯ）、オリジナルコンテンツの文字表示を置き換えるためのタグは生成されない。
【００２５】
前記Ｓ１０１において、カスタマイズ画像データ２１ａ、２１ｂ及びリンク先のＵＲＬ情報２１ｅ、２１ｄがあると判断した場合は（Ｓ１０１：ＹＥＳ）、当該カスタマイズ画像データ２１ａ、２１ｂの画像サイズを解析し（Ｓ１０２）、カスタマイズ画像データ２１ａ、２１ｂを前記した所定範囲内に、ＵＲＬ情報２１ｅ、２１ｄにジャンプするためのハイパーリンクを設けた表示をするためのタグを生成する（Ｓ１０３）。なお、カスタマイズ画像データ２１ａ、２１ｂ及びＵＲＬ情報２１ｅ、２１ｄが格納されていないと判断した場合には（Ｓ１０１：ＮＯ）、オリジナルコンテンツの画像表示を置き換えるためのタグは生成されない。
【００２６】
前記Ｓ６の処理を経て、オリジナルコンテンツ２０の所定範囲にカスタマイズ画像データ２１ａ、２１ｂ及びカスタマイズ文字データ２１ｃを組み込んで表示するためのタグのが生成されると、ＣＰＵ２は、当該オリジナルコンテンツ２０のＨＴＭＬファイル２０ａをＲＡＭ３上に読出し、これに前記Ｓ５で生成したタグを組み込んで新たなＨＴＭＬファイル２２ａ（新たなコンテンツ２２）を生成する（Ｓ７）。すなわち、カスタマイズ文字データ２１ｃを表示するためのタグは、オリジナルコンテンツ２０のＨＴＭＬファイル２０ａのメッセージ２０ｅを表示するためのタグに置き換えて組込み、カスタマイズ画像データ２１ａ、２１ｂを表示するためのタグは、オリジナルコンテンツ２０のＨＴＭＬファイル２０ａの特定の画像データ２０ｃ、２０ｄを表示するためのタグに置き換えて組み込むことにより新たなＨＴＭＬファイル２２ａを生成する。
【００２７】
そして最後に、新たに生成したコンテンツ２２（ＨＴＭＬファイル２２ａ及び画像データ２１ａ）を前記オリジナルコンテンツ２０の代わりにクライアントＰＣ１６へ出力する（Ｓ８）。すると、クライアントＰＣ１６では、オリジナルコンテンツ２０の広告バナー２０ｃ、ロゴ２０ｄ、メッセージ２０ｅが、カスタマイズ画像データ２１ａ、カスタマイズ画像データ２１ｂ、カスタマイズ文字データ２１ｃにそれぞれ置き換えられた、図２（ｂ）に示すような、コンテンツ２２が表示される。カスタマイズ画像データ２１ａ、２１ｂにはハイパーリンクが設定されているので、クライアントＰＣ１６のユーザは、簡単にリンクが設定されたＵＲＬのウェブページにアクセスすることができる。また、カスタマイズ文字データ２１ｃの文字数が長い場合には、スクロールにて表示がなされるようになっている。なお、前記Ｓ６においてタグが新たに生成されなかった部分は、オリジナルコンテンツの当該部分の画像データ２０ｃ、２０ｄや文字データ２０ｅが表示される。
【００２８】
なお、前記Ｓ１０１乃至１０３の処理においては、ハイパーリンクが設けられた画像データを表示させるためのタグが生成されるようになっているが、ハイパーリンクが設定されていない画像データのみを表示させるためのタグを生成するようにしてもよい。その場合は、前記１０１の処理において、カスタマイズ画像データ２１ａ、２１ｂがあるか否かの判断を行い、カスタマイズ画像データ２１ａ、２１ｂがある場合に前記Ｓ１０２の処理を行って、前記Ｓ１０３の処理としてカスタマイズ画像データをオリジナルコンテンツ２０の所定範囲内に表示するためのタグを生成する。
【００２９】
また、前記Ｓ５１乃至Ｓ５５の処理においては、ハイパーリンクが設けられていないカスタマイズ文字データ２１ｃを表示させるためのタグが生成されるようになっているが、ハイパーリングが設けられたカスタマイズ文字データ２１ｃを表示させるためのタグが生成されるようにしてもよい。その場合は、前記Ｓ５１の処理として、カスタマイズ文字データに加えてリンク先のＵＲＬ情報が格納されているか否かを判断し、双方のデータがあると判断した場合に、前記Ｓ５２、Ｓ５３を実行し、カスタマイズ文字データの文字数が所定文字数を超える場合は（Ｓ５３：ＮＯ）、前記Ｓ５４の処理として、ハイパーリンクが設けられたカスタマイズ文字データを所定範囲内にスクロール表示するためのタグを生成し、文字数が所定文字数以下の場合は（Ｓ５３：ＹＥＳ）、前記Ｓ５５の処理としてハイパーリンクが設けられたカスタマズ文字データを所定範囲内に表示するためのタグを生成する。
【００３０】
以上説明した本実施の形態においては、オリジナルコンテンツ２０の広告バナー２０ｃ、ロゴ２０ｄ、メッセージ２０ｅに置き換えてカスタマイズデータ２１ａ、２１ｂ、２１ｃを組み込んだ場合を例に挙げて説明したが、カスタマイズデータ２１ａ、２１ｂ、２１ｃを組み込む場所は、オリジナルコンテンツ２０の広告バナー２０ｃ等がある範囲に限定されない。したがって、例えば前記オリジナルコンテンツ２０において広告バナー２０ｃ、メッセージ２０ｅ等が設けられていない位置にカスタマイズデータ２１ａ、２１ｂ、２１ｃを組み込んだり、上記オリジナルコンテンツ２０の代わりに、広告バナー２０ｃ、メッセージ２０ｅ等を有しないオリジナルコンテンツを使用し、特定の位置にカスタマイズデータ２１ａ、２１ｂ、２１ｃを組み込むようにしてもよい。
【００３１】
つぎに、ＨＴＴＰサーバ１がカスタマイズデータ２１をＲＡＭ３に入力（格納）する場合について説明する。ＨＴＴＰサーバ１は、クライアントＰＣ１６から所定のＵＲＬを指定されることによりカスタマイズデータ２１をアップロードするための操作画面（以下「アップロード操作画面」という。）をクライアントＰＣ１５に対して出力する。そして、アップロード操作画面において、カスタマイズデータ２１に関する情報が入力されることにより、クライアントＰＣ１６内のカスタマイズ画像データやクライアントＰＣ１６において入力されたカスタマイズ文字データがＨＴＴＰサーバ１へアップロードされる。なお、カスタマイズデータ２１としては、ユーザによって作成され或いはＨＴＴＰサーバ１の製造者等が開設するサービスセンタのファイルサーバ２５（図１参照。）からダウンロードしたもの等を使用することができる。
【００３２】
カスタマイズデータ２１がクライアントＰＣ１６からＨＴＴＰサーバ１へアップロードされる際の通信手順を図７に示す。すなわち、クライアントＰＣ１６からＨＴＴＰサーバ１に対してアップロード操作画面の要求（所定のＵＲＬの出力）がなされると（Ｓ２０１）、ＨＴＴＰサーバ１は該要求に応答して、例えば図８に示すような、アップロード操作画面２６をクライアントＰＣ１６に対して出力する（Ｓ２０２）。このアップロード操作画面２６は、カスタマイズ画像データ２１ａ、２１ｂの所在であるフォルダ名及びファイル名を入力するためのカスタマイズ画像ファイル名入力欄２７ａ、２７ｂ、夫々の画像データにリンクさせるＵＲＬ情報を入力するためのＵＲＬ入力欄２８ａ、２８ｂ、カスタマイズ文字データ２６ｃを入力するためのカスタマイズ文字データ入力欄２９、送信ボタン３０等を有する。なお、アップロード操作画面２６に表示される各種入力欄の数、配置等はこれに限定されず、適宜変更してもよい。
【００３３】
前記アップロード操作画面２６において、各欄にフォルダ名及び画像ファイル名、文字データ等が入力され、アップロードを開始するための操作として送信ボタン３０が選択されると、クライアントＰＣ１６は、カスタマイズ画像ファイル名入力欄２７ａ、２７ｂに指定された画像ファイルを自身の記憶装置、メディア読出し装置に挿入されているＣＤ−ＲＯＭ等のメディア等から読出し、読み出した画像データとともにＵＲＬ入力欄２８ａ、２８ｂ、カスタマイズ文字データ入力欄２９に入力されたカスタマイズ文字データ２１及びＵＲＬをＨＴＴＰサーバ１へ送信する（Ｓ２０３）。ＨＴＴＰサーバ１は、前記Ｓ２０３において、クライアントＰＣ１６からアップロードされたカスタマイズ画像データ、ＵＲＬ、カスタマイズ文字データを受信し、これらをＲＡＭ３の所定領域に入力（格納）する。
【００３４】
このようにしてＲＡＭ３の所定領域に入力されたカスタマイズデータ２１は、前記Ｓ１乃至Ｓ７の一連の処理に伴って読み出される。なお、上記ＨＴＴＰサーバ１では、ネットワークを介してクライアントＰＣから画像データ等のアップロードがなされているが、アップロードするためのクライアントＰＣとの通信手段はこれに限定されず、例えば、ＨＴＴＰサーバ１に外部ＰＣとの接続用ポートを設けて、これにアップロード用のデータを有するＰＣを接続して、前記Ｓ２０１乃至Ｓ２０３に示した通信手順を実行するようにしてもよい。また、ＲＡＭの所定領域へのカスタマイズデータ２１等の入力は、上記したアップロードによるものに限定されず、例えば、特定の操作を操作部１１において行って読み取り部８から原稿を読み込ませた場合にその原稿の画像データをカスタマイズ画像データとしてＲＡＭ３に格納したり、特定の操作により操作部１１から入力した文字データをカスタマイズ文字データとしてＲＡＭ３に格納するようにしてもよい。
【産業上の利用可能性】
【００３５】
本発明は、例えば、クライアント装置の操作画面等にブラウザを利用するＨＴＴＰサーバ／ＨＴＴＰクライアントシステムのＨＴＴＰサーバに適用することができる。
【図面の簡単な説明】
【００３６】
【図１】本発明の実施の形態に係るＨＴＴＰサーバの構成例及び該ＨＴＴＰサーバが設置されるネットワークの構成例を示した図である。
【図２】オリジナルコンテンツ及び新たに生成されるコンテンツの例を示した図である。
【図３】コンテンツカスタマイズ機能により新たなＨＴＭＬファイルが生成される場合を示した概念図である。
【図４】コンテンツカスタマイズ機能の実行手順を示したフローチャートである。
【図５】カスタマイズ文字データを表示するためのタグを生成する手順を示したフローチャートである。
【図６】カスタマイズ画像データを表示するためのタグを生成する手順を示したフローチャートである。
【図７】クライアントＰＣからＨＴＴＰサーバにカスタマイズデータがアップロードされる際の手順を示した通信シーケンス図である。
【図８】アップロード操作画面の一例を示した図である。
【図９】従来例に係るコンテンツであって、クライアント装置の表示部に表示されるコンテンツの一例を示した図である。
【符号の説明】
【００３７】
１    ＨＴＴＰサーバ
２    ＣＰＵ
３    ＲＡＭ（読書き可能な記憶手段）
４    ＲＯＭ（読出し専用の記憶手段）
１６    クライアントＰＣ
２０    オリジナルコンテンツ
２０ａ    ＨＴＭＬファイル
２０ｂ    オリジナルコンテンツの画像データ
２０ｃ    オリジナルコンテンツの広告バナー
２０ｄ    オリジナルコンテンツのロゴ
２０ｅ    オリジナルコンテンツのメッセージ
２１    カスタマイズデータ
２１ａ、２１ｂ    カスタマイズ画像データ
２１ｃ    カスタマイズ文字データ
２２  新たなコンテンツ
２２ａ  新たなＨＴＭＬファイル
【図１】
2005044262.tif 000003
【図２】
2005044262.tif 000004
【図３】
2005044262.tif 000005
【図４】
2005044262.tif 000006
【図５】
2005044262.tif 000007
【図６】
2005044262.tif 000008
【図７】
2005044262.tif 000009
【図８】
2005044262.tif 000010
【図９】
2005044262.tif 000011